(57)【要約】【課題】遅延時間を考慮して、クロックや信号がＨｉｇｈｔとＬｏｗのレベルへ変動を的確に表現する。【解決手段】クロックとこのクロックに応じて変化する複数の信号を記載するための補助となる補助線Ｈ、Ｖが引かれていると共に、前記クロックの立上りまたは立下りの少なくとも一方に対して遅延した位置に遅延補助線Ｓが引かれている。【選択図】図１
2019031000.tif 000002
【特許請求の範囲】
【請求項１】
クロックとこのクロックに応じて変化する複数の信号を記載するための補助となる補助線が引かれていると共に、
前記クロックの立上りまたは立下りの少なくとも一方に対して遅延した位置に遅延補助線が引かれていることを特徴とするタイミングチャート作成用シート。
【請求項２】
少なくとも１系列のクロックが予め記載されていることを特徴とする請求項１に記載のタイミングチャート作成用シート。
【請求項３】
１系統の前記クロックに対応して横方向へ延びる最上側補助線或いは最下側補助線と１系統の前記信号に対応して横方向へ延びる最下側補助線或いは最上側補助線との間には、所定間隔ｇが設けられており、
１系統の前記信号線に対応して横方向へ延びる最上側補助線或いは最下側補助線と１系統の前記信号に対応して横方向へ延びる最下側補助線或いは最上側補助線との間には、所定間隔ｇが設けられていることを特徴とする請求項１または２に記載のタイミングチャート作成用シート。
【請求項４】
前記所定間隔ｇの寸法が、或る１系統の２本の横方向補助線Ｈ中の最上位の線から当該１系統の２本の横方向補助線Ｈ中の最下位の線までの寸法よりも短いことを特徴とする請求項３に記載のタイミングチャート作成用シート。
【請求項５】
１系統の前記クロックに対応して横方向へ延びる横方向補助線の左側領域には、クロック名称の記載欄が設けられ
１系統の前記信号線に対応して横方向へ延びる横方向補助線の左側領域には、信号名称の記載欄が設けられていることを特徴とする請求項１乃至４のいずれか１項に記載のタイミングチャート作成用シート。
【請求項６】
タイミングチャートに関する説明文を記載する説明文記載欄が設けられていることを特徴とする請求項１乃至５のいずれか１項に記載のタイミングチャート作成用シート。
【請求項７】
クロックとこのクロックに応じて変化する複数の信号を記載するための補助となる補助線が引かれていると共に、前記クロックの立上りまたは立下りの少なくとも一方に対して遅延した位置に遅延補助線が引かれているタイミングチャート作成用シートのフォーマットデータが記憶されたフォーマットデータ記憶手段と、
タイミングチャート作成用シートを表示とプリントアウトの少なくとも一方を行うための出力手段と、
コマンド及びデータを入力するための入力手段と、
前記入力手段からタイミングチャート作成用シートの出力要求のコマンドを受け付け、前記フォーマットデータ記憶手段のタイミングチャート作成用シートのフォーマットデータに基づき、タイミングチャート作成用シートのイメージデータを作成して、前記出力手段から出力させる出力制御手段と
を具備することを特徴とするタイミングチャート作成用シートの出力装置。
【請求項８】
前記フォーマットデータ記憶手段のフォーマットデータには、少なくとも１系列のクロックを予め記載させるためのフォーマットデータが含まれていることを特徴とする請求項７に記載のタイミングチャート作成用シートの出力装置。
【請求項９】
前記フォーマットデータ記憶手段のフォーマットデータには、
１系統の前記クロックに対応して横方向へ延びる最上側補助線或いは最下側補助線と１系統の前記信号に対応して横方向へ延びる最下側補助線或いは最上側補助線との間に、所定間隔を設けるためのフォーマットデータと、
１系統の前記信号線に対応して横方向へ延びる最上側補助線或いは最下側補助線と１系統の前記信号に対応して横方向へ延びる最下側補助線或いは最上側補助線との間に、所定間隔を設けるためのフォーマットデータが含まれていることを特徴とする請求項７または８に記載のタイミングチャート作成用シートの出力装置。
【請求項１０】
前記所定間隔ｇの寸法が、或る１系統の２本の横方向補助線Ｈ中の最上位の線から当該１系統の２本の横方向補助線Ｈ中の最下位の線までの寸法よりも短いことを特徴とする請求項９に記載のタイミングチャート作成用シートの出力装置。
【請求項１１】
前記フォーマットデータ記憶手段のフォーマットデータには、
１系統の前記クロックに対応して横方向へ延びる横方向補助線の左側領域に、クロック名称の記載欄を設けるためのフォーマットデータと
１系統の前記信号線に対応して横方向へ延びる横方向補助線の左側領域に、信号名称の記載欄を設けるためのフォーマットデータが設けられていることを特徴とする請求項７乃至１０のいずれか１項に記載のタイミングチャート作成用シートの出力装置。
【請求項１２】
前記フォーマットデータ記憶手段のフォーマットデータには、
タイミングチャートに関する説明文を記載する説明文記載欄を設けるためのフォーマットデータが設けられていることを特徴とする請求項７乃至１１のいずれか１項に記載のタイミングチャート作成用シートの出力装置。
【請求項１３】
前記フォーマットデータ記憶手段には、フォーマットデータには、クロックの１周期長と遅延時間の異なる複数種類のフォーマットデータが記憶され、
前記入力手段により所望種類のタイミングチャート作成用シートの出力要求のコマンドを入力可能であることを特徴とする請求項７乃至１２のいずれか１項に記載のタイミングチャート作成用シートの出力装置。
【請求項１４】
前記入力手段からタイミングチャート作成用シートの出力要求のコマンドを入力した後に、前記入力手段から出力要求に係るタイミングチャート作成用シートのクロックの１周期長と遅延時間を含むパラメータの変更要求を入力可能であり、
前記出力制御手段は、前記パラメータの変更要求を受け付けて、対応するパラメータを変更したフォーマットデータに基づき、タイミングチャート作成用シートのイメージデータを作成して、前記出力手段から出力させることを特徴とする請求項７乃至１３のいずれか１項に記載のタイミングチャート作成用シートの出力装置。
【発明の詳細な説明】
【技術分野】
【０００１】
この発明はハードウェア開発における論理設計、機能設計及びその検証、更には、ＩＰ（Intellectual Property）或いはＶＩＰ（仮想ＩＰ）などの使用作成に用いることが可能なタイミングチャート作成用シート及びその出力装置に関するものである。
【背景技術】
【０００２】
既存のタイミングチャート作成用シートは、等間隔の罫線のみが記載されたものが多い。このシートは汎用性が高いものの、開発現場で用いる場合には補助線が足りず、作業性が悪いものであった。また、タイミングチャートは複数の信号を縦方向に並べて各信号の変化をＨｉｇｈｔとＬｏｗのレベルを変動する信号線により表わしている。そのため、等間隔の罫線では、上下の信号が同じ罫線を用いることはできないので、罫線の間隔の寸法だけ離れることになり、上下の関係が見難い事態が発生する。即ち、等間隔の罫線を複数並べたタイミングチャート作成用シートは使い難いという問題があった。
【０００３】
タイミングチャートでは、クロックに同期して信号がＨｉｇｈｔとＬｏｗのレベルへ変動するが、通常はクロックから所定時間の遅延を持っているもので、この遅延を的確に表現することができるタイミングチャート作成用シートが求められている。遅延時間の部分を傾斜した線分で表現する記載手法も知られているが、デジタル的な設計では、この記載手法によると、傾斜の途中においてＨｉｇｈｔとＬｏｗのレベルのいずれであるかを特定することができず、適切な表現とならないことが多い。
【０００４】
従って、ハードウェア開発の現場では、タイミングチャート作成用シートは開発者個人の手作りであり、作成に時間を要し、また個々人で統一性がなく、グループで開発を行う場合に作業効率を低下させるなどの懸念があった。
【０００５】
特許文献１には、横（縦）方向に時間ステップを表す線と、縦（横）方向に信号の高レベル（ＨＩＧＨ）及び低レベル（ＬＯＷ）を表すレベル線とを設けたタイミングチャートが開示されている。このタイミングチャートは、１つの信号（或いはクロック）の記載枠が縦方向に並べられ、その各記載枠内において枠の高さより小さい振幅において信号或いはクロックがＨｉｇｈｔとＬｏｗのレベルへ変動するように記載されるための補助線が記載されている。
【０００６】
また、特許文献２には、自動入力用タイミングチャート記述用紙が開示されており、この自動入力用タイミングチャート記述用紙には、図形読み取り装置により読み取られるテストパターン記入領域が行及び列に区分され、各行は各端子に対応し、各行の端部には少なくとも端子名を記入する欄が設けられ、各列はテストステップに対応し、各列の端部には少なくともテストステップ数を記載する欄が設けられている。上記テストパターン記入領域には目盛りが設けられ、その目盛りに従って入力波形、出力波形、を記入することができるようになっている。
【０００７】
更に、特許文献３には、ＬＳＩ等の電子回路設計時に用いるタイムチャート作成用紙をその電子回路に最適な形態で作成するタイムチャート用紙作製装置が開示されている。このタイムチャート用紙作製装置は、タイムチャートを作成すべき電子回路の入出力信号とそのタイミング情報を入力回路を介してマイクロコンピュータに与え、タイミング情報解析手段、プロットサイズ決定手段、プロット座標算出手段、プロッタフォーマット作成手段による処理を行った後、プロッタにデータを渡してタイムチャート作成用紙を出力する。
【０００８】
また、特許文献４には、タイムチャート中の各信号の値を遅延時間に応じて表示するタイムチャート編集装置が開示されている。このタイムチャート編集装置では、信号記憶手段５１がタイムチャート中の各信号の波形情報を記憶し、この波形情報に基づきディスプレイ１にタイムチャートを表示する。一方、信号別遅延記憶手段５４は、各信号にそれぞれ設定された遅延時間を記憶している。遅延カーソル表示手段４２は、タイムチャート中の各信号に対して遅延時間に応じて分割したカーソルを、タイムチャートにそれぞれ表示し、遅延信号値表示手段４３が、各カーソルの表示位置に対応する信号の値を、信号波形記憶手段の格納している波形情報から、それぞれ求める。更に、遅延信号値表示手段４３は、求めたその信号の値をタイムチャートの所定の位置に表示する。
【先行技術文献】
【特許文献】
【０００９】
【特許文献１】実公昭５９‐１２２２５号公報
【特許文献２】実開昭６４‐５５０７６号公報
【特許文献３】実開平５−７５８５０号公報
【特許文献４】特開平７−２６２２４４号公報
【発明の概要】
【発明が解決しようとする課題】
【００１０】
上記特許文献１〜３に記載のされたタイミングチャート用紙には、縦方向に複数のクロックや信号を適切に並べて記載することができ、この場合に見易くなっているものの、遅延については全く考慮されておらず、この用紙を用いて遅延時間を考慮したタイミングチャートを記載することはできない。
【００１１】
特許文献４に示されている装置は、遅延時間を記憶しておき、その遅延時間を用いてカーソルの表示や遅延信号値の値を表示するものであり、コンピュータ処理によって実現される。即ち、この装置はコスト的にも高価であり、従って、設計者等が開発の初期の段階などで自分なりに試行錯誤でタイミングチャートを作成する場合に簡易に用いるというものではない。
【００１２】
本発明は上記のようなタイミングチャート作成用シートやその出力装置における現状に鑑みなされたもので、その目的は、遅延時間を考慮して、クロックや信号がＨｉｇｈｔとＬｏｗのレベルへ変動を的確に表現することができ、設計者等が開発の初期の段階などで自分なりに試行錯誤でタイミングチャートを作成する場合に簡易安価で用いることができるタイミングチャート作成用シート及びその出力装置を提供することである。
【課題を解決するための手段】
【００１３】
本発明に係るタイミングチャート作成用シートは、クロックとこのクロックに応じて変化する複数の信号を記載するための補助となる補助線が引かれていると共に、前記クロックの立上りまたは立下りの少なくとも一方に対して遅延した位置に遅延補助線が引かれていることを特徴とする。
【００１４】
本発明に係るタイミングチャート作成用シートでは、少なくとも１系列のクロックが予め記載されていることを特徴とする。
【００１５】
本発明に係るタイミングチャート作成用シートでは、１系統の前記クロックに対応して横方向へ延びる最上側補助線或いは最下側補助線と１系統の前記信号に対応して横方向へ延びる最下側補助線或いは最上側補助線との間には、所定間隔ｇが設けられており、１系統の前記信号線に対応して横方向へ延びる最上側補助線或いは最下側補助線と１系統の前記信号に対応して横方向へ延びる最下側補助線或いは最上側補助線との間には、所定間隔ｇが設けられていることを特徴とする。
【００１６】
本発明に係るタイミングチャート作成用シートでは、前記所定間隔ｇの寸法が、或る１系統の２本の横方向補助線Ｈ中の最上位の線から当該１系統の２本の横方向補助線Ｈ中の最下位の線までの寸法よりも短いことを特徴とする。
【００１７】
本発明に係るタイミングチャート作成用シートでは、１系統の前記クロックに対応して横方向へ延びる横方向補助線の左側領域には、クロック名称の記載欄が設けられ、１系統の前記信号線に対応して横方向へ延びる横方向補助線の左側領域には、信号名称の記載欄が設けられていることを特徴とする。
【００１８】
本発明に係るタイミングチャート作成用シートでは、タイミングチャートに関する説明文を記載する説明文記載欄が設けられていることを特徴とする。
【００１９】
本発明に係るタイミングチャート作成用シートの出力装置は、クロックとこのクロックに応じて変化する複数の信号を記載するための補助となる補助線が引かれていると共に、前記クロックの立上りまたは立下りの少なくとも一方に対して遅延した位置に遅延補助線が引かれているタイミングチャート作成用シートのフォーマットデータが記憶されたフォーマットデータ記憶手段と、タイミングチャート作成用シートを表示とプリントアウトの少なくとも一方を行うための出力手段と、コマンド及びデータを入力するための入力手段と、前記入力手段からタイミングチャート作成用シートの出力要求のコマンドを受け付け、前記フォーマットデータ記憶手段のタイミングチャート作成用シートのフォーマットデータに基づき、タイミングチャート作成用シートのイメージデータを作成して、前記出力手段から出力させる出力制御手段とを具備することを特徴とする。
【００２０】
本発明に係るタイミングチャート作成用シートの出力装置では、前記フォーマットデータ記憶手段のフォーマットデータには、少なくとも１系列のクロックを予め記載させるためのフォーマットデータが含まれていることを特徴とする。
【００２１】
本発明に係るタイミングチャート作成用シートの出力装置では、前記フォーマットデータ記憶手段のフォーマットデータには、１系統の前記クロックに対応して横方向へ延びる最上側補助線或いは最下側補助線と１系統の前記信号に対応して横方向へ延びる最下側補助線或いは最上側補助線との間に、所定間隔ｇを設けるためのフォーマットデータと、１系統の前記信号線に対応して横方向へ延びる最上側補助線或いは最下側補助線と１系統の前記信号に対応して横方向へ延びる最下側補助線或いは最上側補助線との間に、所定間隔ｇを設けるためのフォーマットデータが含まれていることを特徴とする。
【００２２】
本発明に係るタイミングチャート作成用シートの出力装置では、前記所定間隔ｇの寸法が、或る１系統の２本の横方向補助線Ｈ中の最上位の線から当該１系統の２本の横方向補助線Ｈ中の最下位の線までの寸法よりも短いことを特徴とする。
【００２３】
本発明に係るタイミングチャート作成用シートの出力装置では、前記フォーマットデータ記憶手段のフォーマットデータには、１系統の前記クロックに対応して横方向へ延びる横方向補助線の左側領域に、クロック名称の記載欄を設けるためのフォーマットデータと、１系統の前記信号線に対応して横方向へ延びる横方向補助線の左側領域に、信号名称の記載欄を設けるためのフォーマットデータが設けられていることを特徴とする。
【００２４】
本発明に係るタイミングチャート作成用シートの出力装置では、前記フォーマットデータ記憶手段のフォーマットデータには、タイミングチャートに関する説明文を記載する説明文記載欄を設けるためのフォーマットデータが設けられていることを特徴とする。
【００２５】
本発明に係るタイミングチャート作成用シートの出力装置では、前記フォーマットデータ記憶手段には、フォーマットデータには、クロックの１周期長と遅延時間の異なる複数種類のフォーマットデータが記憶され、前記入力手段により所望種類のタイミングチャート作成用シートの出力要求のコマンドを入力可能であることを特徴とする。
【００２６】
本発明に係るタイミングチャート作成用シートの出力装置では、前記入力手段からタイミングチャート作成用シートの出力要求のコマンドを入力した後に、前記入力手段から出力要求に係るタイミングチャート作成用シートのクロックの１周期長と遅延時間を含むパラメータの変更要求を入力可能であり、前記出力制御手段は、前記パラメータの変更要求を受け付けて、対応するパラメータを変更したフォーマットデータに基づき、タイミングチャート作成用シートのイメージデータを作成して、前記出力手段から出力させることを特徴とする。
【発明の効果】
【００２７】
本発明によれば、クロックとこのクロックに応じて変化する複数の信号を記載するための補助となる補助線が引かれていると共に、前記クロックの立上りまたは立下りの少なくとも一方に対して遅延した位置に遅延補助線が引かれているので、遅延時間を考慮して、クロックや信号がＨｉｇｈｔとＬｏｗのレベルへ変動を的確に表現することができ、設計者等が開発の初期の段階などで自分なりに試行錯誤でタイミングチャートを作成する場合に簡易安価で用いることができる。
【図面の簡単な説明】
【００２８】
【図１】本発明に係るタイミングチャート作成用シートの第１の実施形態を示す平面図。
【図２】本発明に係るタイミングチャート作成用シートの第１の実施形態を用いてクロックや信号を描いた状態を示す平面図。
【図３】本発明に係るタイミングチャート作成用シートの第２の実施形態を示す平面図。
【図４】本発明に係るタイミングチャート作成用シートの第３の実施形態を示す平面図。
【図５】本発明に係るタイミングチャート作成用シートの出力装置の第１の実施形態を示すブロック図。
【発明を実施するための形態】
【００２９】
以下添付図面を参照して、本発明に係るタイミングチャート作成用シート及びその出力装置の実施形態を説明する。各図において、同一の構成要素には同一の符号を付して重複する説明を省略する。図１には、本発明に係るタイミングチャート作成用シートの第１の実施形態を示す平面図である。本実施形態のタイミングチャート作成用シートは、所定の大きさの紙などのシート１００に、クロックを記載するための補助となる補助線、或いは、上記クロックに応じて変化する複数の信号を記載するための補助となる補助線が引かれている。
【００３０】
上記の補助線は、縦方向に延びる縦方向補助線Ｖと横方向に延びる横方向補助線Ｈにより構成される。この実施形態では、クロックの立上りまたは立下りの少なくとも一方に対して遅延した位置に遅延補助線Ｓが引かれている。ここで、遅延補助線Ｓは、縦方向補助線Ｖから遅延時間に応じた寸法ｄだけ離されているようにすることができる。
【００３１】
横方向へ延びる横方向補助線Ｈは、２本で１系統のクロックまたは１系統の信号線に対応している。図１では例えば、最上位から２本の横方向補助線Ｈが１系統のクロックまたは１系統の信号線に対応している。
【００３２】
１系統の上記クロックに対応して横方向へ延びる最上側補助線或いは最下側補助線と１系統の上記信号に対応して横方向へ延びる最下側補助線或いは最上側補助線との間には、所定間隔ｇが設けられている。また、１系統の上記信号線に対応して横方向へ延びる最上側補助線或いは最下側補助線と１系統の上記信号に対応して横方向へ延びる最下側補助線或いは最上側補助線との間には、所定間隔ｇが設けられている。つまり、或る１系統の２本の横方向補助線Ｈと次の１系統の２本の横方向補助線Ｈとが、図１の（１）と（２）に示すように並んでいるとき、或る１系統の２本の横方向補助線Ｈ中の最下位の線ＤＨと次の１系統の２本の横方向補助線Ｈ中の最上位の線ＵＨの間には、所定間隔ｇが設けられている。
【００３３】
上記所定間隔ｇの寸法（ｇ）は、或る１系統の２本の横方向補助線Ｈ中の最上位の線ＵＨから当該１系統の２本の横方向補助線Ｈ中の最下位の線ＤＨまでの寸法（ＵＨ−ＤＨ）よりも短いことが望ましい。その理由は、次の通りである。（ｇ）が０であると(所定間隔ｇが存在しないと)上下の信号が接してしまうことがありチャートが見難い事態が生じる。また、（ｇ）≧（ＵＨ−ＤＨ）であると、上下の信号の間が広くなり両信号の立上りと立下りの関係が見難く分かり難くなる事態が生じる。本実施形態では、このような見難く分かり難くなる事態を防ぐために、（ｇ）＜（ＵＨ−ＤＨ）という関係を満たすように構成されており、上下の信号における立上りと立下り等の関係を明瞭に描くことができ、タイミングチャートとして見易いという効果を奏することができる。なお、（ｇ）＜（ＵＨ−ＤＨ）の関係が満たされても、（ｇ）が（ＵＨ−ＤＨ）に近い値であると上記効果を奏することができないので、寸法（ＵＨ−ＤＨ）の値に応じて、（ｇ）は（ＵＨ−ＤＨ）の１／２や１／３など、上記の効果を得ることができる値に設定される。具体的には机上で紙に記載される場合やプロジェクタ等により大きく映し出される(出力される)場合を含み、（ＵＨ−ＤＨ）が通常用いられる寸法であるとき、（ｇ）は（ＵＨ−ＤＨ）の１／２〜１／５程度の寸法であることが望ましい。
【００３４】
１系統の上記クロックに対応して横方向へ延びる横方向補助線の左側領域には、クロック名称の記載欄ＮＡが設けられ、１系統の上記信号線に対応して横方向へ延びる横方向補助線の左側領域には、信号名称の記載欄ＳＡが設けられている。
【００３５】
更に、シート１００には、タイミングチャートに関する説明文を記載する説明文記載欄ＤＤが設けられている。この説明文記載欄ＤＤは、タイミングチャート作成用シートにおける遅延補助線Ｓや補助線Ｈ、補助線Ｖが記載されている領域の下側の欄であることが望ましいが、特に限定されない。
【００３６】
以上のように構成されたタイミングチャート作成用シートを用いると、図２に示すようにクロック名がＣＬＫ１のクロックに対し、例えば、信号名ＳＩＧ１の信号がクロックＣＬＫ１の第１パルスの立上りに対応して所定遅延時間の遅延を持って立上り、信号名ＳＩＧ２の信号がクロックＣＬＫ１の第２パルスの立上りに対応して所定遅延時間の遅延を持って立上った状態を、遅延補助線Ｓによって適切に表現することができる。
【００３７】
また、クロックの名称はクロック名称の記載欄ＮＡに適切に記載することができ、信号名称をその記載欄ＳＡに適切に記載することができる。
【００３８】
更に、タイミングチャートに関する説明文を記載する説明文記載欄ＤＤには、「クロックＣＬＫ１に対し、信号ＳＩＧ１がクロックＣＬＫ１の第１パルスの立上りに対応して所定遅延時間の遅延を持って立上り、信号ＳＩＧ２がクロックＣＬＫ１の第２パルスの立上りに対応して所定遅延時間の遅延を持って立上る。」旨を記載することができる。
【００３９】
図３は、第２の実施形態を示す平面図である。１系列のクロックＣＫが予め記載されている。記載の位置は、最上部の信号が記載される領域とすることができる。一般にハードウェア設計の場合、クロックＣＫは予めｎ（整数）系統と決まっており、これに基づき信号がＨｉｇｈｔとＬｏｗのレベルへ変動する。従って、幾つかの系統のクロックが予め記載されていることにより、タイミングチャートの作成を短時間で容易に行うことができる。
【００４０】
図３では、１系統のクロックを予め記載したが、２系統以上であっても良い。この場合に、第２の系統のクロックＣＬＫ２に基づき信号が所定の遅延を持ってＨｉｇｈｔとＬｏｗのレベルへ変動するときには、図４に示す第３の実施形態のように、第１の系統のクロックＣＬＫ１に対応する遅延補助線Ｓ１と、第２の系統のクロックＣＬＫ２に対応する遅延補助線Ｓ２とを引いておくと便利である。３系統以上のクロックＣＬＫに対応する遅延補助線を独立に引いておいても良い。
【００４１】
図５は、本発明に係るタイミングチャート作成用シートの出力装置の実施形態を示すブロック図である。本出力装置は、ワークステーションやパーソナルコンピュータと周辺機器により構成される。本出力装置は、コンピュータの本体部１０に、フォーマットデータ記憶手段としての記憶装置１１が記憶コントローラ１１Ａを介して接続され、入力手段としての入力部１２が入力コントローラ１２Ａを介して接続され、出力手段としての表示部１３が表示コントローラ１３Ａを介して接続され、出力手段としてのプリンタ１４がプリンタコントローラ１４Ａを介して接続されている。
【００４２】
記憶装置１１は、ハードディスク装置などにより構成することができ、記憶装置１１には、クロックとこのクロックに応じて変化する複数の信号を記載するための補助となる補助線が引かれていると共に、上記クロックの立上りまたは立下りの少なくとも一方に対して遅延した位置に遅延補助線が引かれているタイミングチャート作成用シートのフォーマットデータが記憶されている。フォーマットデータは、補助線等の長さ、位置（始点座標値、終点座標値）、線分の種類（破線か全線か鎖線かなど）、太さなどのデータである。
【００４３】
出力手段としての表示部１３と、出力手段としてのプリンタ１４とは、タイミングチャート作成用シートを表示とプリントアウトの少なくとも一方を行うための出力手段として機能する。入力手段である入力部は、キーボードやマウス或いはタッチパネル入力装置により構成することができ、この入力部は、コマンド及びデータを入力するための入力手段として機能する。
【００４４】
コンピュータの本体部１０には、プログラムにより実現される出力制御手段２０が備えられている。出力制御手段２０は、上記入力手段である入力部１２からタイミングチャート作成用シートの出力要求のコマンドを受け付け、上記フォーマットデータ記憶手段である記憶装置１１のタイミングチャート作成用シートのフォーマットデータに基づき、タイミングチャート作成用シートのイメージデータを作成して、上記出力手段である表示部１３やプリンタ１４から出力させるものである。
【００４５】
記憶装置１１のフォーマットデータには、１系統の上記クロックに対応して横方向へ延びる最上側補助線或いは最下側補助線と１系統の前記信号に対応して横方向へ延びる最下側補助線或いは最上側補助線との間に、所定間隔ｄを設けるためのフォーマットデータと、１系統の上記信号線に対応して横方向へ延びる最上側補助線或いは最下側補助線と１系統の前記信号に対応して横方向へ延びる最下側補助線或いは最上側補助線との間に、所定間隔ｄを設けるためのフォーマットデータが含まれている。
【００４６】
記憶装置１１のフォーマットデータには、タイミングチャートに関する説明文を記載する説明文記載欄ＤＤを設けるためのフォーマットデータが設けられている。
【００４７】
以上のように構成された出力装置によれば、入力部１２から図１に示すようなタイミングチャート作成用シートの出力コマンドを入力することにより、図１に示すようなタイミングチャート作成用シートを出力させることができる。
【００４８】
第２の実施形態に係る出力装置では、記憶装置１１のフォーマットデータには、１系列のクロックを予め記載させるためのフォーマットデータが含まれている。この出力装置によれば、図３に示されるようなタイミングチャート作成用シートを出力させることができる。
【００４９】
記憶装置１１のフォーマットデータには、１系列のクロックを予め記載させるためのフォーマットデータが含まれているとしたが、２系統以上であっても良い。この場合には、図４に示すように、第１の系統のクロックＣＬＫ１に対応する遅延補助線Ｓ１と、第２の系統のクロックＣＬＫ２に対応する遅延補助線Ｓ２とを引くためのフォーマットデータを含んでいても良い。
【００５０】
第３の実施形態に係る出力装置では、記憶装置１１のフォーマットデータには、クロックの１周期長と遅延時間の異なる複数種類のフォーマットデータが記憶され、上記入力手段である入力部１２により所望種類のタイミングチャート作成用シートの出力要求のコマンドを入力可能である。この場合には、クロックの１周期長と遅延時間の異なる複数種類を、例えば、パターン１〜パターンｎとして指定可能としておき、パターン番号を指定して所望のものを読出し、最終的にプリントアウトしても良い。
【００５１】
第４の実施形態に係る出力装置では、入力手段である入力部１２からタイミングチャート作成用シートの出力要求のコマンドを入力した後に、入力手段である入力部１２から出力要求に係るタイミングチャート作成用シートのクロックの１周期長と遅延時間を含むパラメータの変更要求を入力可能である。一方、出力制御手段２０は、上記パラメータの変更要求を受け付けて、対応するパラメータを変更したフォーマットデータに基づき、タイミングチャート作成用シートのイメージデータを作成して、出力手段である表示部１３で表示し、最終的にプリンタ１４から出力させるようにしても良い。
【００５２】
タイミングチャート作成用シートのクロックの１周期長と遅延時間を含むパラメータの変更要求は、数値により入力しても良いが、マウス等を用いて補助線の位置や長さなど、或いはクロックの立上りまたは立下り位置などを修正して、周期などを変更し、確定であればその旨の入力を行い、出力させることができる。
【符号の説明】
【００５３】
１００  シート
１０  本体部
１１  記憶装置
１１Ａ  記憶コントローラ
１２  入力部
１２Ａ  入力コントローラ
１３  表示部
１３Ａ  表示コントローラ
１４  プリンタ
１４Ａ  プリンタコントローラ
２０  出力制御手段
【図１】
2019031000.tif 000003
【図２】
2019031000.tif 000004
【図３】
2019031000.tif 000005
【図４】
2019031000.tif 000006
【図５】
2019031000.tif 000007